(57)【要約】【課題】機能部品を器具本体に設ける場合と比較して導入コストの削減を図る。【解決手段】光源ユニット２は、LEDモジュール22と、LEDモジュール22を支持して照明器具Ａの器具本体１に着脱自在に取り付けられる取付部材21とを備える。また、光源ユニット２は、取付部材21に取り付けられてLEDモジュール22に給電する電源装置24と、電源装置24に作用してLEDモジュール22に関わる機能を実現するための機能部品(人体検知ユニット26)とを備える。所望の機能部品を搭載した光源ユニット２に置き換えることで所望の機能が追加された照明器具Ａになるので、機能部品を器具本体１に設ける場合と比較して導入コストの削減を図ることができる。【選択図】        図１
2015111539.tif 000002
【特許請求の範囲】
【請求項１】
１乃至複数の固体発光素子を有する光源と、前記光源を支持して照明器具の器具本体に着脱自在に取り付けられる取付部材と、少なくとも一部が透光性を有する材料で箱形に形成され、且つ前記光源を覆うように前記取付部材に取り付けられるカバーと、前記取付部材に取り付けられて前記光源に給電する電源装置と、前記電源装置に作用して前記光源に関わる機能を実現するための機能部品とを備え、
前記機能部品は、前記カバーに設けられる孔から少なくとも一部を前記カバーの外に露出させた状態で前記カバーに配設されることを特徴とする光源ユニット。
【請求項２】
前記機能部品を保持して前記孔から前記カバーの外に突出する保持部材を備え、前記保持部材は、前記孔の周縁に引っ掛かる段部を有することを特徴とする請求項１記載の光源ユニット。
【請求項３】
前記カバーは、透光性を有する材料で形成される１乃至複数の第１カバー体と、透光性を有さない材料で形成され且つ前記孔が設けられる第２カバー体とを有し、前記第１カバー体と前記第２カバー体とは、互いの端部同士を突き合わせるようにして前記取付部材に取り付けられることを特徴とする請求項２記載の光源ユニット。
【請求項４】
前記取付部材に固定される台座を備え、前記保持部材は、前記台座に取り付けられるように構成されることを特徴とする請求項２又は３記載の光源ユニット。
【請求項５】
前記台座は、前記保持部材に設けられる１乃至複数の引掛部がそれぞれ引っ掛けられる１乃至複数の被引掛部を有し、前記取付部材に沿ってスライドさせられることにより、前記引掛部が前記被引掛部に引っ掛かるように構成されることを特徴とする請求項４記載の光源ユニット。
【請求項６】
前記台座は、前記引掛部が前記被引掛部に引っ掛けられた状態で前記カバーの長手方向に沿って前記保持部材を移動可能に支持するように構成されることを特徴とする請求項５記載の光源ユニット。
【請求項７】
前記カバーと前記保持部材の少なくとも何れか一方に、前記カバーと前記取付部材で囲まれる空間を仕切る第１立壁が設けられ、前記台座に、前記第１立壁と対向する第２立壁が設けられることを特徴とする請求項４〜６の何れか１項に記載の光源ユニット。
【請求項８】
請求項１〜７の何れかの光源ユニットと、前記光源ユニットが着脱自在に取り付けられて前記光源ユニットを支持する器具本体とを備えることを特徴とする照明器具。
【発明の詳細な説明】
【技術分野】
【０００１】
本発明は、固体発光素子を光源とする光源ユニット、及びその光源ユニットを備える照明器具に関する。
【背景技術】
【０００２】
従来例として、特許文献１記載の照明器具を例示する。この従来例は、複数の発光素子を光源とする光源部と、光源部を点灯させる点灯装置と、点灯装置を収容する収容凹部を有し且つ収容凹部の開口を塞ぐようにして光源部を支持する本体とを備える。なお、本体は、収容凹部の開口と反対側の面で天井に直付けされる。
【０００３】
また、特許文献１記載の従来例は、壁スイッチが操作されることで点灯装置への給電が入切されて光源部の点灯・消灯が切り換えられるように構成されている。
【先行技術文献】
【特許文献】
【０００４】
【特許文献１】特開２０１２−３９９３号公報
【発明の概要】
【発明が解決しようとする課題】
【０００５】
ところで、白熱ランプや蛍光ランプを用いた照明器具においては、明るさセンサや人感センサを器具本体に搭載したものがあった。例えば、明るさセンサを搭載した照明器具は、明るさセンタで検知する照明空間の明るさ(照度)がしきい値未満のときに光源を点灯し、明るさがしきい値以上のときに光源部を消灯させるように、点灯装置が出力を制御している。また、人感センサを搭載した照明器具は、人感センサが検知範囲内に人の存在を検知したときに点灯し、検知範囲内に人の存在を検知しなくなって所定時間が経過したら消灯するように動作する。
【０００６】
ここで、上述のように照明空間の明るさに応じて光源部を点滅させる機能や、人の存否に対応して光源部を点滅させる機能を照明器具に備える場合、通常、設置スペース等の関係から、明るさセンサや人感センサなどの機能部品は器具本体に設けられる。
【０００７】
しかしながら、上記機能部品が器具本体に設けられる場合、それぞれに異なる機能を有する機能部品が設けられた器具本体が必要となり、既存の照明器具との置き換えにおいては、導入コストが高く付くという問題がある。
【０００８】
本発明は、上記課題に鑑みて為されたものであり、機能部品を器具本体に設ける場合と比較して導入コストの削減を図ることを目的とする。
【課題を解決するための手段】
【０００９】
本発明の光源ユニットは、１乃至複数の固体発光素子を有する光源と、前記光源を支持して照明器具の器具本体に着脱自在に取り付けられる取付部材と、少なくとも一部が透光性を有する材料で箱形に形成され、且つ前記光源を覆うように前記取付部材に取り付けられるカバーと、前記取付部材に取り付けられて前記光源に給電する電源装置と、前記電源装置に作用して前記光源に関わる機能を実現するための機能部品とを備え、前記機能部品は、前記カバーに設けられる孔から少なくとも一部を前記カバーの外に露出させた状態で前記カバーに配設されることを特徴とする。
【００１０】
この光源ユニットにおいて、前記機能部品を保持して前記孔から前記カバーの外に突出する保持部材を備え、前記保持部材は、前記孔の周縁に引っ掛かる段部を有することが好ましい。
【００１１】
この光源ユニットにおいて、前記カバーは、透光性を有する材料で形成される１乃至複数の第１カバー体と、透光性を有さない材料で形成され且つ前記孔が設けられる第２カバー体とを有し、前記第１カバー体と前記第２カバー体とは、互いの端部同士を突き合わせるようにして前記取付部材に取り付けられることが好ましい。
【００１２】
この光源ユニットにおいて、前記取付部材に固定される台座を備え、前記保持部材は、前記台座に取り付けられるように構成されることが好ましい。
【００１３】
この光源ユニットにおいて、前記台座は、前記保持部材に設けられる１乃至複数の引掛部がそれぞれ引っ掛けられる１乃至複数の被引掛部を有し、前記取付部材に沿ってスライドさせられることにより、前記引掛部が前記被引掛部に引っ掛かるように構成されることが好ましい。
【００１４】
この光源ユニットにおいて、前記台座は、前記引掛部が前記被引掛部に引っ掛けられた状態で前記カバーの長手方向に沿って前記保持部材を移動可能に支持するように構成されることが好ましい。
【００１５】
この光源ユニットにおいて、前記カバーと前記保持部材の少なくとも何れか一方に、前記カバーと前記取付部材で囲まれる空間を仕切る第１立壁が設けられ、前記台座に、前記第１立壁と対向する第２立壁が設けられることが好ましい。
【００１６】
本発明の照明器具は、前記何れかの光源ユニットと、前記光源ユニットが着脱自在に取り付けられて前記光源ユニットを支持する器具本体とを備えることを特徴とする。
【発明の効果】
【００１７】
本発明の光源ユニット及び照明器具は、所望の機能部品を搭載した光源ユニットに置き換えることで所望の機能が追加された照明器具になるので、機能部品を器具本体に設ける場合と比較して導入コストの削減を図ることができるという効果がある。
【図面の簡単な説明】
【００１８】
【図１】本発明に係る光源ユニット及び照明器具の実施形態１を示す分解斜視図である。
【図２】同上の照明器具の断面図である。
【図３】同上の光源ユニットの一部省略した分解斜視図である。
【図４】同上の光源ユニットにおける人体検知ユニットを含む一部の斜視図である。
【図５】本発明に係る光源ユニット及び照明器具の別の実施形態を示す分解斜視図である。
【図６】本発明に係る光源ユニットの実施形態２における機能ブロックの分解斜視図である。
【図７】同上における機能ブロックの一部省略した斜視図である。
【図８】同上における機能ブロックの一部省略した斜視図である。
【図９】同上における機能ブロックの斜視図である。
【図１０】同上の一部省略した斜視図である。
【図１１】同上の断面図である。
【図１２】同上における別の機能ブロックの斜視図である。
【図１３】同上におけるさらに別の機能ブロックの斜視図である。
【図１４】同上の平面図である。
【図１５】同上の平面図である。
【発明を実施するための形態】
【００１９】
(実施形態１)
以下、本発明に係る光源ユニット２並びに照明器具Ａの実施形態について、図面を参照して詳細に説明する。なお、以下の説明では、特に断りのない限り、図２に示す向きにおいて上下左右の方向を規定し、さらに図２中の紙面に垂直な方向を前後方向(手前側が前側)と規定する。
【００２０】
本実施形態の照明器具Ａは、図１及び図２に示すように光源ユニット２と、器具本体１とで構成される。器具本体１は、吊りボルト200に固定され、天井材100の下面(天井面)に直付けされる。光源ユニット２は、器具本体１に対して着脱可能に取り付けられる。
【００２１】
器具本体１は、板金に曲げ加工を施すことで長尺且つ上面(天井材100との対向面)が開口する扁平な箱状に形成される。また、器具本体１は、天井材100と反対側(下側)に、光源ユニット２を収容するための矩形の凹部11が長手方向(前後方向)の全長に亘って設けられている(図１参照)。また、器具本体１の左右方向(幅方向)における凹部11の両側に、凹部11の開口端縁から延出し且つ外側に向かって上方へ傾斜する傾斜部12がそれぞれ設けられている(図２参照)。
【００２２】
また、凹部11の底板111には、電線を通すための孔111Aが前後方向(長手方向)におけるほぼ中央に設けられている。さらに、この底板111には、前後方向における両端寄りの位置に吊りボルト200を通すための孔111Bがそれぞれ設けられている。そして、底板111の下面には端子台13が取り付けられる。
【００２３】
光源ユニット２は、図１及び図２に示すように、複数(例えば、２つ)のLEDモジュール22と、LEDモジュール22が取り付けられる取付部材21とを備える。さらに、光源ユニット２は、LEDモジュール22を覆うようにして取付部材21に取り付けられるカバー23と、電源装置24と、機能部品とを備える。
【００２４】
LEDモジュール22は、前後方向に長い矩形板状に形成されたプリント配線板221を有する。プリント配線板221は、その下面に複数のＬＥＤ(発光ダイオード)222が前後方向(長手方向)に沿って実装されている。また、一方のLEDモジュール22の前端部には、電源装置24との間を電気的に接続するためのコネクタ(図示せず)が実装されている。このコネクタには電線(図示せず)が接続されており、この電線の端部を電源装置24に接続することでLEDモジュール22と電源装置24とが電気的に接続される。
【００２５】
また、各LEDモジュール22において隣接するLEDモジュール22と対向する端部には、電源供給用のコネクタ224がそれぞれ実装されている(図２参照)。そして、両LEDモジュール22のコネクタ224同士を接続することで、一方のLEDモジュール22から他方のLEDモジュール22に点灯電力が中継される。
【００２６】
取付部材21は、板金に曲げ加工を施すことでＵ字状に形成され、長尺且つ矩形板状に形成された底板211と、底板211の左右方向(幅方向)における両端から上下方向(底板211と直交する方向)に延出する一対の側板212とで構成される。各側板212の先端(上端)には、図２に示すように、互いに離れる向き(外向き)に傾斜する傾斜部212Aがそれぞれ全長に亘って設けられている。
【００２７】
底板211の前端部には、LEDモジュール22と電源装置24とを電気的に接続する上記電線を通すための孔(図示せず)が設けられている。また、底板211の前後方向における中央部には、底板211の一部を上向きに突出させることで形成された矩形の凹部(図示せず)が設けられている。この凹部は、両LEDモジュール22を取付部材21に取り付けた状態で、コネクタ224と取付部材21の底板211との間の絶縁距離を確保するためのものである。なお、上述したLEDモジュール22は、例えば取付部材21の底板211の一部を切り起こすことで形成された爪2111により取付部材21に固定される(図３参照)。
【００２８】
また、取付部材21は、長手方向における両端寄りの位置において幅方向の一端側に延びる一対の引掛金具214と、幅方向の他端側に配置される一対の引掛ばね215とを有している。
【００２９】
電源装置24は、電源基板(図示せず)と、電源基板を収納する収納ケース242とを有する。電源基板は、前後方向に長い矩形板状に形成されたプリント配線板からなり、このプリント配線板には、少なくともＬＥＤ222の点灯電力を生成するために必要な回路部品(例えばトランスやダイオード、コンデンサなど)241が実装されている。
【００３０】
収納ケース242は、一面(取付部材21の底板211との対向面)が開口し且つ前後方向に長い矩形箱状に形成されている。また、収納ケース242は、開口側が取付部材21の底板211と対向するようにして、例えばねじなどを用いて取付部材21の側板212に取り付けられる。
【００３１】
カバー23は、図１及び図３に示すように第１カバー体23Aと第２カバー体29の２つの部材で構成されている。
【００３２】
第１カバー体23Aは、拡散性を有する材料(例えば乳白色のアクリル樹脂)により上面(取付部材21側の面)が開口する長尺の箱形に形成されている。また、第１カバー体23Aは、左右方向(幅方向)において両端側から中央側に行くほど下側への突出量が大きくなるような凸レンズ形状の曲面部231を有している(図２参照)。
【００３３】
第１カバー体23Aの左右方向における両端部には、図２に示すように、光源ユニット２を器具本体１に取り付けた状態で、上下方向において器具本体１の凹部11の開口端縁と重なる延出部232がそれぞれ設けられている。さらに、第１カバー体23Aの左右方向において各延出部232の内側には、上側(取付部材21側)に突出する突壁部233がそれぞれ全長に亘って設けられており、各突壁部233の先端には内向きに突出する突起部233Aがそれぞれ設けられている。また、各突壁部233の根元近くには、それぞれ内向きに突出する支持片233Bが突出している。
【００３４】
第２カバー体29は、図３に示すように第１カバー体23Aの曲面部231と同一の曲面形状を有する曲面部290、曲面部290の一端側を塞ぐエンド部291、曲面部290の他端側の周縁から突出する突出片292などが合成樹脂により一体に形成されている。また、曲面部290の裏面(上面)には、上向きに突出する一対の突壁293が曲面部290と一体に形成されている。さらに、曲面部290の他端側において、突出片292の両端近傍には平面視Ｌ字形のリブ294がそれぞれ突出片292と平行に突出している。そして、突出片292と各リブ294との間にはスリット295が形成されている(図４参照)。また、曲面部290の中央部分には矩形の孔2900が開口している。また、曲面部290の裏面側における孔2900の周囲には、全周に亘って壁2901が設けられている(図３参照)。なお、第２カバー体29は、透光性を有しない合成樹脂材料で形成されている。
【００３５】
本実施形態の光源ユニット２は、機能部品として人体検知ユニット26を備える。人体検知ユニット26は、図３に示すように焦電型の赤外線センサ260、赤外線センサ260の出力を信号処理して人体検知信号を出力する信号処理回路(図示せず)、可変抵抗器261などがプリント配線板262に実装されて構成される。
【００３６】
赤外線センサ260は従来周知であって、人体から放射される赤外線を焦電素子で検知することにより、検知領域における人の動き(存在)を検知するように構成される。信号処理回路は、赤外線センサ260が人の存在を検知しているときに人体検知信号を出力する。ただし、センサは、焦電素子を用いたパッシブ形の赤外線センサ260に限定されず、イメージセンサを用いるもの、あるいは電波や超音波を利用したアクティブ形のセンサであっても構わない。
【００３７】
信号処理回路は、赤外線センサ260が人の存在を検知しなくなってから所定の動作保持時間が経過するまでは人体検知信号の出力を継続する。また、信号処理回路は、動作保持時間が経過するまでに赤外線センサ260が人の存在を検知しなければ人体検知信号の出力を停止し、動作保持時間が経過する前に赤外線センサ260が再度の人の存在を検知すれば人体検知信号の出力を継続するように構成される。可変抵抗器261は、動作保持時間を調整するために設けられている。つまり、信号処理回路は、可変抵抗器261の抵抗値に対応して動作保持時間を調整するように構成される。ただし、可変抵抗器の代わりにロータリースイッチが用いられても構わない。なお、図示は省略しているが、人体検知ユニット26に給電するための給電線と、信号処理回路から人体検知信号を出力するための出力線とがプリント配線板262から引き出されている。
【００３８】
また、人体検知ユニット26は、図３及び図４に示すように保持部材27に保持される。保持部材27は、一面が開口した矩形箱状の合成樹脂成形体からなり、その内部に人体検知ユニット26を収納して保持するように構成される。保持部材27の外周面には、全周に亘って段部270が形成されている。さらに、保持部材27の底壁271には、赤外線センサ260のレンズ2600が挿通される第１窓孔2710と、可変抵抗器261の操作つまみ2610が挿通される第２窓孔2711とが貫通している。
【００３９】
保持部材27は、段部270から底壁271までの側壁のうち、短手方向(左右方向)に対向する側壁272が、内側に向かって凸となる半円筒面形状に形成されている。また、保持部材27の開口端近傍における左右両側の側面には、一対の第１引掛部273と、一対の第２引掛部274とが前後方向の両端から突設されている。第１引掛部273は、前後方向から見て鈎形(Ｓ字形)に形成されている。第２引掛部274は、上下方向から見てＬ字形に形成されている。
【００４０】
また、保持部材27は、台座28を介して取付部材21に取り付けられる。台座28は、矩形板状の主部280と、主部280の左右両側から上向きに突出する角筒状の一対の突部281とが合成樹脂成形体として一体に形成されている。また、主部280の後端側における左右両端には、矩形の挿通溝282がそれぞれ設けられている。さらに、主部280の前端側における左右両側には、鈎形の突片283がそれぞれ下向きに突設されている。
【００４１】
台座28は、図３に示すように、取付部材21の底板211に設けられた一対の貫通孔2110に、一対の突部281をそれぞれ嵌め込むことで取付部材21に取り付けられる。なお、LEDモジュール22の端近くに実装されている複数個のＬＥＤ222は、取付部材21に取り付けられた台座28で隠される。
【００４２】
保持部材27は、主部280と平行にスライドされることにより、一対の第１引掛部273を一対の挿通溝282にそれぞれ挿通し、且つ一対の第２引掛部274を一対の突片283にそれぞれ引っ掛けて台座28に取り付けられる(図４参照)。つまり、保持部材27は、取付部材21の長手方向(前後方向)に沿って移動可能な状態で台座28に取り付けられる。
【００４３】
次に、光源ユニット２の組立手順について説明する。まず最初に、作業者は、電源装置24を取付部材21の底板211の上面側に取り付け、さらに係止爪2111によりLEDモジュール22を取付部材21の底板211に固定する。その後、作業者は、LEDモジュール22のコネクタ223から導出する電線を取付部材21の底板211に設けた孔に通し、その端部を電源装置24に接続する。
【００４４】
続いて、作業者は、人体検知ユニット26を保持部材27の内部に収納して保持させる。このとき、作業者は、人体検知ユニット26から引き出された給電線及び出力線を、保持部材27の開口端近くに設けられている挿通溝276を通して保持部材27の外に引き出しておく。
【００４５】
次に、作業者は、一対の第１引掛部273を一対の挿通溝282にそれぞれ挿通し、且つ一対の第２引掛部274を一対の突片283にそれぞれ引っ掛けることにより、保持部材27に台座28を取り付ける。
【００４６】
さらに、作業者は、保持部材27の先端部(段部270から底壁271までの部分。以下、同じ。)を、第２カバー体29の曲面部290の孔2900に、曲面部290の裏面側(上側)から挿通し、保持部材27の段部270を曲面部290の壁2901に突き合わせる。これにより、保持部材27の先端部が孔2900を通して第２カバー体29の外に突出する。このとき、保持部材27の側壁272と第２カバー体29の曲面部290とが面一になるように保持部材27が構成されている。したがって、保持部材27と第２カバー体29との繋ぎ目が目立ち難くなり、外観上の見栄えの向上を図ることができる。
【００４７】
続いて、作業者は、保持部材27及び台座28を取り付けた第２カバー体29を第１カバー体23Aに取り付ける。このとき、第２カバー体29の突出片292が、第１カバー体23Aの端部(曲面部231の端部)の内側に嵌め込まれることにより、第２カバー体29の曲面部290と第１カバー体23Aの曲面部231とが面一となる。また、第２カバー体29の一対のスリット295に、第１カバー体23Aの各突壁部233が嵌まり込むことにより、第２カバー体29が第１カバー体23Aに固定される(図１参照)。なお、２つのカバー体23Ａ，29は接着剤で接着されることが好ましい。
【００４８】
そして、作業者は、開口側を上向きにした状態でカバー23(第１カバー体23A及び第２カバー体29)を取付部材21に組み付ける。このとき、第１カバー体23Aの各突壁部233にそれぞれ設けた突起部233Aが、取付部材21の各側板212にそれぞれ設けた傾斜部212Aに引っ掛かり、第１カバー体23Aが取付部材21に取り付けられる。さらに、作業者は、挿通溝276から引き出されている給電線と出力線を、一方の突部281の内部を通して取付部材21の上面側に引き出して電源装置24と接続する。
【００４９】
最後に、作業者は、第２カバー体29の突壁293に設けられた長孔状の貫通孔(図示せず)に段付きねじ235を挿通し、取付部材21の側板212に設けたねじ孔2120に段付きねじ235のねじ部をねじ込むことでカバー23を取付部材21にねじ止めする。以上のような手順に従って、光源ユニット２が組み立てられる。
【００５０】
続けて、照明器具Ａの施工手順について説明する。まず最初に、作業者は、天井裏に先行配線された電源線３(図１参照)を器具本体１の孔111Aに通し、さらに室内側に露出する吊りボルト200を孔111Bに通した後、吊りボルト200にナット300をねじ込んで器具本体１を固定する。その後、作業者は、電源線３の端部を端子台13に接続し、さらに端子台13の雌型コネクタ131と電源装置24の雄型コネクタ243を接続する。
【００５１】
そして最後に、作業者は、器具本体１の一方の側板112に設けられた一対の挿通孔112Aにそれぞれ引掛金具214の先端を引っ掛けた後、一対の引掛ばね215を器具本体１の他方の側板112に設けられた引掛部1120に引っ掛ける。そして、作業者が、引掛金具214を支点として光源ユニット２を持ち上げるように回転させると、引掛ばね215が引掛部1120に引っ掛かったままで元の状態に戻ることにより、引掛ばね215のばね力で光源ユニット２が器具本体１に保持される。以上のような手順に従って、照明器具Ａが天井に施工される。
【００５２】
而して、本実施形態の照明器具Ａは、例えば、人体検知ユニット26から人体感知信号が出力されている間は電源装置24がLEDモジュール22に定格電力を給電してＬＥＤ222を定格点灯させる。一方、人体検知ユニット26から人体感知信号が入力されなくなり、且つ待機時間が経過したら、電源装置24がLEDモジュール22への給電を停止又は出力電力を減少させてＬＥＤ222を消灯又は調光点灯する。つまり、本実施形態の光源ユニット２を用いることにより、人の存否に応じて点滅(あるいは定格点灯と調光点灯の切り換え)を行って省エネルギー化を図ることができる。
【００５３】
上述のように本実施形態の光源ユニット２は、１乃至複数の固体発光素子(ＬＥＤ222)を有する光源(LEDモジュール22)と、光源を支持して照明器具Ａの器具本体１に着脱自在に取り付けられる取付部材21とを備える。また、本実施形態の光源ユニット２は、少なくとも一部が透光性を有する材料で箱形に形成され、且つ光源を覆うように取付部材21に取り付けられるカバー23とを備える。さらに、本実施形態の光源ユニット２は、取付部材21に取り付けられて光源に給電する電源装置24と、電源装置24に作用して光源に関わる機能を実現するための機能部品(人体検知ユニット26)とを備える。そして、機能部品は、カバー23(第２カバー体29)に設けられる孔2900から少なくとも一部(レンズ2600)をカバー23の外に露出させた状態でカバー23に配設される。
【００５４】
本実施形態の光源ユニット２は、所望の機能部品を搭載した光源ユニット２に置き換えることで所望の機能が追加された照明器具Ａになるので、機能部品を器具本体１に設ける場合と比較して導入コストの削減を図ることができる。しかも、赤外線センサ260のレンズ2600を、第２カバー体29に設けた孔2900からカバー23の外に露出させているので、カバー23の形状を大きく変更せずに人体検知ユニット26をカバー23と取付部材21とで形成される空間内に収納できる。また、本実施形態の光源ユニット２は、カバー23が２つの部材(第１カバー体23Aと第２カバー体29)で構成される点を除けば、基本的に機能部品を搭載しないタイプ(基本タイプ)の光源ユニットと同一の構造を有している。したがって、本実施形態の光源ユニット２は、基本タイプの光源ユニットからカバーを変更し、且つ機能部品を内蔵させるだけの簡単な仕様変更のみで製造可能で有り、基本タイプの光源ユニットからの製造コストの上昇を極力抑えることができる。
【００５５】
また、本実施形態の光源ユニット２は、機能部品(人体検知ユニット26)を保持して孔2900からカバー23の外に突出する保持部材27を備えている。また、保持部材27は、孔2900の周縁に引っ掛かる段部270を有する。このように保持部材27に機能部品(人体検知ユニット26)を保持させているので、機能部品の変更に容易に対応することができる。さらに、段部270を孔2900の周縁に引っ掛けるようにして保持部材27と第２カバー体29を結合しているので、カバー23に対して保持部材27を確実に位置決めし且つ固定することができる。
【００５６】
ところで、本実施形態の光源ユニット２のカバー23は、合成樹脂材料製であるため、点灯中にLEDモジュール22や電源装置24が発する熱の影響で膨張し、且つ消灯後に収縮することで長さ寸法(特に長手方向の長さ寸法)が変動し易い。そのため、本実施形態では、カバー23を取付部材21にねじ止めする際、そのねじを段付きねじ235とし、且つ段付きねじ235が通る孔(カバー23の貫通孔)を長孔状に形成している。故に、カバー23が膨張及び収縮しても、段付きねじ235からカバー23に不要な応力が加わり難くなる。さらに、本実施形態では、取付部材21に固定される台座28に対して、保持部材27が取付部材21の長手方向に沿って移動可能となるように構成されている。故に、カバー23の膨張及び収縮に合わせて保持部材27と第２カバー体29とが連動して移動するので、保持部材27及び第２カバー体29にも不要な応力が加わり難くなる。その結果、カバー23の割れや異音の発生といった不具合が生じることが抑制できる。
【００５７】
上述のように本実施形態の光源ユニット２は、取付部材21に固定される台座28を備える。そして、保持部材27は、台座28に取り付けられるように構成される。
【００５８】
本実施形態の光源ユニット２は上述のように構成されるので、機能部品の種類に応じた保持部材27を用意することで台座28を共通に使用することができ、製造コストの削減を図ることができる。
【００５９】
また、本実施形態の光源ユニット２では、台座28が、保持部材27に設けられる１乃至複数の引掛部(第１引掛部273及び第２引掛部274)がそれぞれ引っ掛けられる１乃至複数の被引掛部(挿通溝282及び突片283)を有している。そして、保持部材27は、取付部材21に沿ってスライドさせられることにより、引掛部(第１引掛部273及び第２引掛部274)が被引掛部(挿通溝282及び突片283)に引っ掛かるように構成される。
【００６０】
本実施形態の光源ユニット２は上述のように構成されるので、ねじなどを使用しないことで組立作業の作業性の向上を図ることができる。
【００６１】
さらに、本実施形態の光源ユニット２では、台座28は、引掛部(第１引掛部273及び第２引掛部274)が被引掛部(挿通溝282及び突片283)に引っ掛けられた状態でカバー23の長手方向に沿って保持部材27を移動可能に支持するように構成される。
【００６２】
本実施形態の光源ユニット２は上述のように構成されるので、カバー23の膨張及び収縮に合わせて保持部材27とカバー23(第２カバー体29)とが連動して移動し、保持部材27及びカバー23に不要な応力が加わり難くなる。その結果、本実施形態の光源ユニット２は、カバー23の割れや異音の発生といった不具合が生じることを抑制することができる。
【００６３】
ところで、機能部品(人体検知ユニット26)を取付部材21の上面側に配置した場合、ＬＥＤ222の光の影響を避けつつ、赤外線センサ260のレンズ2600を光源ユニット２の外に露出させることは困難である。
【００６４】
これに対して本実施形態の光源ユニット２は、機能部品(人体検知ユニット26)が、カバー23(第２カバー体29)に設けられる孔2900から少なくとも一部をカバー23の外に露出させた状態でカバー23と取付部材21とに囲まれた空間に配置される。そのため、ＬＥＤ222の光の影響を避けつつ、赤外線センサ260のレンズ2600を光源ユニット２の外に露出させることが容易になる。
【００６５】
また、機能部品の一部(例えば、赤外線センサ260のレンズ2600)をカバー23の外に露出させる場合、カバー23(第１カバー体23A)の曲面部231に孔を開ける構造が考えられる。しかしながら、カバー23に孔を開ける場合、機能部品の影が目立たないように孔の周囲を遮光する必要が生じる。
【００６６】
これに対して本実施形態の光源ユニット２は、カバー23が、透光性を有する材料で形成される１乃至複数の第１カバー体23Aと、透光性を有さない材料で形成され且つ孔2900が設けられる第２カバー体29とを有する。そして、第１カバー体23Aと第２カバー体29とは、互いの端部同士を突き合わせるようにして取付部材21に取り付けられる。すなわち、カバー23を第１カバー体23Aと第２カバー体29の複数部品で構成し、第２カバー体29を透光性が有さない材料で形成されているので、光源(LEDモジュール22)の光が第２カバー体29に遮られることにより、機能部品の影が目立ち難くなるという利点がある。
【００６７】
さらに、カバー23を複数部品で構成する場合において、第１カバー体23Aの端部と第２カバー体29の端部を単に突き合わせるだけでは、２つのカバー体23A，29の端部同士が容易にずれてしまい、繋ぎ目が目立ち易くなる虞がある。
【００６８】
これに対して本実施形態の光源ユニット２は、第２カバー体29の端部から突出した突出片292が、第１カバー体23Aの端部の内側に嵌め込まれる嵌め込み構造を備えている。このため、２つのカバー体23A，29の端部同士がずれ難くなり、その結果、端部同士の繋ぎ目が目立ち難くなるという利点がある。なお、第２カバー体29の端部に突出片292を設ける代わりに、第１カバー体23Aの端部に突出片を設け、その突出片が第２カバー体29の端部の内側に嵌め込まれる構造を光源ユニット２に備えても構わない。
【００６９】
また、図５に示すようにカバー23を、２つの第１カバー体23A、23Bと１つの第２カバー体29とで構成し、カバー23の中央に第２カバー体29、すなわち、機能部品(人体検知ユニット26)が配置されても構わない。ただし、取付部材21の中央近くには電源装置24が配置されているので、電源装置24が発する熱の影響を抑制するためには、本実施形態のように機能部品(人体検知ユニット26)を長手方向の端に配置することが好ましい。
【００７０】
なお、人体検知ユニット26の代わりに明るさ検知ユニットを機能部品として光源ユニット２に搭載しても構わない。明るさ検知ユニットは、赤外線センサ260の代わりに明るさセンサがプリント配線板262に実装されて構成される。明るさセンサは、例えば、太陽電池などの光電変換素子を利用して照明空間の明るさ(照度)を検知(計測)する。そして、信号処理回路は、明るさセンサの計測値を所定のしきい値と比較し、計測値がしきい値を下回ったときに明るさ検知信号を出力するように構成される。電源装置24は、例えば、明るさ検知信号が出力されているときに給電してＬＥＤ222を点灯させ、明るさ検知信号が出力されていないときに給電を停止又は出力電力を減少させてＬＥＤ222を消灯又は調光点灯するように構成される。また、人体検知ユニット26や明るさ検知ユニットの他にも、例えば、引き紐式のスイッチ(いわゆるプルスイッチ)を機能部品として光源ユニット２に搭載しても構わない。
【００７１】
(実施形態２)
本発明に係る光源ユニット２の別の実施形態について説明する。ただし、本実施形態の光源ユニット２は、機能部品を取付部材21に取り付けるための構成に特徴があり、その他の構成については実施形態１と共通である。故に、実施形態１と共通の構成要素には同一の符号を付して適宜図示並びに説明を省略する。
【００７２】
以下、説明を簡単にするため、機能部品と、機能部品を取付部材21に取り付けるための部材とを含むブロックを機能ブロックと呼ぶことにする。
【００７３】
本実施形態における機能ブロックは、図６に示すように人体検知ユニット26、保持部材27、台座28、第２カバー体29、支持枠25で構成される。なお、以下の説明では、特に断りの無い限り、図６において上下、左右、前後の各方向を規定する。
【００７４】
保持部材27は、第１引掛部273及び第２引掛部274に代えて、矩形平板状の４つの引掛部275を備えている。これら４つの引掛部275は、保持部材27の左右両側面の上端における前端と後端からそれぞれ左右方向に突出するように構成されている。
【００７５】
一方、台座28は、挿通溝282及び突片283に代えて、４つの被引掛部284が設けられている。これらの被引掛部284は、主部280の下面の左右両端における前端と後端からそれぞれ下向きに突出している。左側の被引掛部284は、後方及び右方に開放された半角筒状に形成されている。また、右側の被引掛部284は、後方及び左方に開放された半角筒状に形成されている。そして、各被引掛部284の内側には、保持部材27の引掛部275が挿通可能な空間2840が形成されている(図７参照)。つまり、保持部材27の各引掛部275が、後端から前方に向かって各空間2840に挿通されることにより、台座28の被引掛部284に引っ掛けられる(図８参照)。ただし、各空間2840は、前後方向の長さが引掛部275の前後方向の幅よりも長く形成されている。そのため、保持部材27は、引掛部275が被引掛部284に引っ掛けられた状態で、台座28に対して前後方向に移動可能である。なお、台座28の主部280の下面には、右手前の引掛部275が通過する経路上に微小な突起285が設けられている(図６参照)。つまり、突起285を乗り越えないと引掛部275が被引掛部284から離脱しないので、引掛部275が被引掛部284から離脱し難くすることにより、機能ブロックの組立性の向上が図られている。
【００７６】
支持枠25は、合成樹脂材料により、保持部材27の内側に嵌まり込む寸法の矩形枠状に形成されている。そして、支持枠25は、保持部材27に保持された人体検知ユニット26のプリント配線板262と対向するように保持部材27の内側に嵌め込まれる。つまり、支持枠25は、保持部材27内において、人体検知ユニット26のプリント配線板262を支持するように構成されている(図７参照)。ただし、支持枠25は、プリント配線板262から引き出される電線(出力線)を通すための孔250が左右両側面に設けられている(図７参照)。
【００７７】
第２カバー体29は、突壁293に長孔状の貫通孔2930が設けられている(図９及び図１０参照)。そして、第２カバー体29は、突壁293に設けられた貫通孔2930に段付きねじ235が挿通され、取付部材21の側板212のねじ孔2120に段付きねじ235のねじ部がねじ込まれることで取付部材21にねじ止めされる(図１０参照)。なお、台座28の突部281には、段付きねじ235のねじ部が挿通される丸孔2810が設けられており、台座28が段付きねじ235によって側板212に固定される。つまり、機能ブロックのうち、台座28を除く人体検知ユニット26、保持部材27、第２カバー体29、支持枠25が取付部材21に対して長手方向に移動可能となっている。
【００７８】
ところで、LEDモジュール22から放射される光には、蠅や蚊などの昆虫を誘引する波長成分が含まれていることが知られている。そのため、前記波長成分の光に誘引された昆虫がカバー23と取付部材21との隙間などから光源ユニット２の内部に進入し、進入した昆虫の死骸がカバー23の内壁に付着して美観が損なわれるという問題がある。しかも、本実施形態の光源ユニット２では、ユーザー自らがカバー23を取付部材21から取り外して清掃することは容易で無い。したがって、本実施形態の光源ユニット２では、カバー23内への昆虫の進入を減らすことが望まれている。例えば、図１１に実線の矢印で示すように、第２カバー体29の突壁293と、取付部材21の側板212との間の隙間から昆虫が進入する可能性がある。
【００７９】
そこで本実施形態の光源ユニット２では、図９及び図１１に示すように、第２カバー体29に一対の第１立壁296が設けられている。第１立壁296は、曲面部290の裏面(上面)において、突壁293と所定の距離を空けて対向し且つ上向きに突出するように曲面290と一体に形成されている。そして、機能ブロックが取付部材21に取り付けられた状態では、各第１立壁296の先端(上端)が取付部材21の底板211の下面に接している(図１１参照)。つまり、第１立壁296の先端(上端)が取付部材21の底板211に接することにより、昆虫の進入経路になり得る隙間を減らすことができる。
【００８０】
さらに本実施形態の光源ユニット２では、図７に示すように、台座28に一対の第２立壁286が設けられている。第２立壁286は、主部280の裏面(上面)における左右方向の両端から前後方向に沿って上向きに突出するように形成されている。そして、台座28と第２カバー体29が取付部材21に取り付けられた状態では、第２立壁286の先端(上端)が取付部材21の底板211の下面に接している(図１１参照)。また、第２立壁286は、第１立壁296と左右方向において対向している。ただし、一対の第２立壁286と第１立壁296は、少なくとも何れか一方の第２立壁286と第１立壁296とが接触していても構わない。なお、第１立壁は、保持部材27に設けられても構わない。
【００８１】
上述のように本実施形態の光源ユニット２では、カバー(第２カバー体29)と保持部材27の少なくとも何れか一方に、カバー(第２カバー体29)と取付部材21で囲まれる空間を仕切る第１立壁296が設けられる。また、台座28に、第１立壁296と対向する第２立壁286が設けられる。
【００８２】
本実施形態の光源ユニット２は上述のように構成されるので、第１立壁296及び第２立壁286によって、昆虫の進入経路となり得る隙間を減らすことができる。なお、第１立壁296及び第２立壁286によって、昆虫が進行可能な経路(隙間)が単純な直線や曲線ではなく、迷路状に入り組んだ状態となるので、機能ブロック内への昆虫の進行を妨げることができる。
【００８３】
図12は、人体検知ユニット26の代わりに、明るさ検知ユニットを備えた機能ブロックの斜視図を示している。明るさ検知ユニット(図示せず)は、保持部材27の底壁271に設けられる第１窓孔2710を通して入射する光から、照明空間の明るさ(照度)を検知(計測)するように構成される。
【００８４】
また、図13は、人体検知ユニット26の代わりに、プルスイッチを備えた機能ブロックの斜視図を示している。保持部材27は、底壁271の中央から略円錐台形状のボス277が突出している。そして、保持部材27の内側に収納されているプルスイッチの引き紐(図示せず)が、ボス277の中心を貫通する貫通孔2770を通して垂れ下がっている。プルスイッチは、端子台13の雌型コネクタ131と電源装置24の雄型コネクタ243との間に挿入され、引き紐が下向きに引っ張られる毎にオンとオフを交互に切り替えるように構成されている。つまり、プルスイッチがオンのときは、外部の電源(商用電源)からプルスイッチを介して電源装置24に給電されることで光源ユニット２が点灯する。一方、プルスイッチがオフのときは、電源装置24への給電が停止するために光源ユニット２が消灯する。故に、本実施形態の照明器具Ａは、機能部品としてプルスイッチを備え、点灯と消灯が個別に切換可能となっているために使い勝手の向上が図られるという利点がある。
【００８５】
ところで、人体検知ユニット26や明るさ検知ユニットは、給電線と、信号処理回路から人体検知信号や明るさ検知信号を出力するための出力線とがプリント配線板262から引き出されている。そして、人体検知信号や明るさ検知信号は、出力線を介して電源装置24に入力される。
【００８６】
一方、電源装置24は、収納ケース242の長手方向の一端側から入力ケーブル244が引き出され、収納ケース242の長手方向の他端側から出力ケーブル245が引き出されている。また、電源装置24は、出力ケーブル245が引き出されている側に信号入力端子が設けられている。
【００８７】
したがって、人体検知ユニット26及び明るさ検知ユニットは、取付部材21の長手方向において、電源装置24の信号入力端子との距離が近い方の端部に配置されることで出力線245の配線長を短くすることができる(図１４参照)。
【００８８】
一方、プルスイッチは、取付部材21の長手方向において、電源装置24の入力ケーブル244との距離が近い方の端部(人体検知ユニット26及び明るさ検知ユニットと反対側の端部)に配置されることで電線の配線長を短くすることができる(図１５参照)。
【符号の説明】
【００８９】
Ａ  照明器具
１  器具本体
２  光源ユニット
21  取付部材
22  LEDモジュール(光源)
23  カバー
24  電源装置
26  人体検知ユニット(機能部品)
29  第２カバー体(カバー)
222  発光ダイオード(固体発光素子)
2900  孔
【図１】
2015111539.tif 000003
【図２】
2015111539.tif 000004
【図３】
2015111539.tif 000005
【図４】
2015111539.tif 000006
【図５】
2015111539.tif 000007
【図６】
2015111539.tif 000008
【図７】
2015111539.tif 000009
【図８】
2015111539.tif 000010
【図９】
2015111539.tif 000011
【図１０】
2015111539.tif 000012
【図１１】
2015111539.tif 000013
【図１２】
2015111539.tif 000014
【図１３】
2015111539.tif 000015
【図１４】
2015111539.tif 000016
【図１５】
2015111539.tif 000017